(57)【要約】  【課題】インクジェット式記録装置は、被記録物の波状の撓みを抑え、被記録物の上端から下端まで正確に記録を行う。  【解決手段】  被記録物１１の搬送方向Ａと直交する主走査方向において、略同一直線上に互いに離間して設けられ、被記録物１１を搬送方向に移動させるとともに、液体噴射領域において被記録物１１を噴射面が凹となるように撓ませる複数の第１移動ローラ３２及び３４と、被記録物１１を液体噴射面とは反対側の面から支持するために液体噴射領域に設けられ、主走査方向において複数の第１移動ローラ３２及び３４のそれぞれと略同じ場所に位置し、かつ搬送方向において第１移動ローラ３２及び３４からの方向及び距離が略同一である複数の第１リブ１１０と、複数の第１移動ローラ３２及び３４と複数の第１リブ１１０との間に配置され、液体を吸収する第１液体吸収材１３０とを備える。【選択図】  図５
2004322635.tif 000002
【特許請求の範囲】
【請求項１】
液体噴射領域に搬送された被記録物に液体を噴射して記録を行う液体噴射装置であって、
前記被記録物の搬送方向と直交する主走査方向に沿って、略同一直線上に互いに離間して設けられ、前記被記録物を搬送方向に移動させるとともに、前記液体噴射領域において、前記被記録物を、液体噴射面が凹となるように撓ませる複数の第１移動ローラと、
前記被記録物を前記液体噴射面とは反対側の面から支持するために前記液体噴射領域に設けられ、前記主走査方向において前記複数の第１移動ローラのそれぞれと略同じ場所に位置し、かつ前記搬送方向において前記第１移動ローラからの方向及び距離が略同一である複数の第１リブと、
前記複数の第１移動ローラと前記複数の第１リブとの間に配置され、前記液体を吸収する第１液体吸収材と
を備える液体噴射装置。
【請求項２】
前記第１移動ローラは、前記被記録物を前記液体噴射領域に搬送し、
前記複数の第１リブは、前記被記録物の搬送方向において前記第１移動ローラより下流側に設けられている請求項１に記載の液体噴射装置。
【請求項３】
更に、前記被記録物の搬送方向において前記第１吸収材より下流側に設けられ、前記被記録物を前記液体噴射領域から前記液体噴射領域外へ搬送するとともに、前記液体噴射領域において前記被記録物を前記液体噴射面が凹となるように撓ませる、複数の第２移動ローラと、
前記被記録物を前記液体噴射面とは反対側の面から支持するために前記液体噴射領域に設けられ、前記主走査方向において前記複数の第２移動ローラのそれぞれと略同じ場所に位置し、かつ前記搬送方向において前記第２移動ローラと前記第１リブとの間の略同じ場所に位置する複数の第２リブと、
前記複数の第２移動ローラと前記複数の第２リブとの間に配置され、前記液体を吸収する第２液体吸収材と
を備える請求項２に記載の液体噴射装置。
【請求項４】
前記複数の第２移動ローラ及び前記複数の第２リブのそれぞれは、主走査方向において前記複数の第１移動ローラ及び前記複数の第１リブのそれぞれと略同じ位置に設けられている請求項３に記載の液体噴射装置。
【請求項５】
前記第１移動ローラは、前記被記録物を前記液体噴射領域から前記液体噴射領域外へ搬送し、
前記複数の第１リブは、前記被記録物の搬送方向において前記第１移動ローラより上流側に設けられている請求項１に記載の液体噴射装置。
【請求項６】
被記録物に液体を噴射して記録を行う液体噴射装置であって、
前記被記録物の搬送方向と略直交する主走査方向に往復運動する液体噴射ヘッドと、
前記液体噴射ヘッドの前記被記録物に対向する面の、前記搬送方向において互いに異なる位置にそれぞれ設けられ、互いに異なる主液体をそれぞれ噴射する複数の主ノズル列と、
前記液体噴射ヘッドの前記被記録物に対向する面に設けられ、前記搬送方向において最も上流に位置する前記主ノズル列と、前記搬送方向において略同一の位置に配置されており、前記主液体とは異なる領域に副液体を噴射する上流側副ノズル列と、
前記複数の主ノズル列の間と前記被記録物を介して対向する位置に設けられ、前記被記録物を支持する支持リブと、
前記被記録物の上端に前記主液体及び前記副液体を噴射するときには前記上流側副ノズル列から前記副液体を噴射させる制御部と
を備える液体噴射装置。
【請求項７】
前記液体噴射ヘッドは、更に、前記搬送方向において最も下流に位置する前記主ノズル列と前記搬送方向において略同一の位置に設けられ、前記副液体を前記主液体とは異なる領域に噴射する下流側副ノズル列を有し、
前記制御部は、前記主液体を噴射させずに前記副液体のみを前記被記録物に噴射するときにおいて、前記被記録物の上端に前記副液体を噴射するときには前記上流側副ノズル列を使用し、前記被記録物の下端に前記副液体を噴射するときには前記下流側副ノズル列を使用する、請求項６に記載の液体噴射装置。
【請求項８】
前記搬送方向において前記上流側副ノズル列及び前記下流側副ノズル列の間に位置する補助副ノズル列を更に備え、
前記制御部は、前記被記録物の上端及び下端以外の領域に前記副液体を噴射するときには、前記上流側副ノズル列、前記下流側副ノズル列、及び前記補助副ノズル列を使用する、請求項７に記載の液体噴射装置。
【請求項９】
前記液体噴射装置は、インクジェット式記録装置であり、
前記液体噴射ヘッドは、前記複数の主ノズル列から、カラーで記録を行うための黒以外の複数色のインクをそれぞれ噴射し、かつ、前記副ノズル列から、黒のインクを噴射する、請求項６に記載の液体噴射装置。
【請求項１０】
被記録物に液体を噴射して記録を行う液体噴射装置であって、
前記被記録物の搬送方向と略直交する主走査方向に往復運動する液体噴射ヘッドと、
前記液体噴射ヘッドの前記被記録物に対向する面に、前記搬送方向において互いに離間して設けられ、液体をそれぞれ噴射する複数のノズル列と、
前記複数のノズル列の間に前記被記録物を介して対向する位置に設けられ、前記被記録物を支持する支持リブと、
前記複数のノズル列に前記被記録物を介して対向する位置に前記主走査方向に延伸し、前記支持リブの周囲において前記支持リブよりも窪んだ複数の凹部と、
を備える液体噴射装置。
【請求項１１】
前記複数の凹部に配され、前記複数のノズル列から噴射された液体を吸収する液体吸収材を更に備える請求項１０に記載の液体噴射装置。
【請求項１２】
前記主走査方向に沿って、略同一直線上に互いに離間して設けられ、前記被記録物を前記搬送方向に移動させるとともに、前記液体噴射ヘッドに対向する位置において、前記被記録物を、液体噴射面が凹となるように撓ませる複数の第１移動ローラと、
前記搬送方向において前記支持リブより下流側に設けられ、前記被記録物を前記液体噴射ヘッドに対向する位置の外へ搬送するとともに、前記液体噴射領域において前記被記録物を前記液体噴射面が凹となるように撓ませる、複数の第２移動ローラと
を更に備え、
前記支持リブは、前記主走査方向において前記複数の第１移動ローラのそれぞれと略同じ場所に位置し、かつ前記搬送方向において前記第１移動ローラからの方向及び距離が略同一である複数の第１リブ、および、前記主走査方向において前記複数の第２移動ローラのそれぞれと略同じ場所に位置し、かつ前記搬送方向において前記第２移動ローラと前記第１リブとの間の略同じ場所に位置する複数の第２リブを有する請求項１０または１１に記載の液体噴射装置。
【請求項１３】
前記複数のノズル列を制御する制御部を更に備え、
前記複数のノズル列は、上流側ノズル列、および、前記上流側ノズル列よりも前記搬送方向について下流側に配された下流側ノズル列を有し、
前記制御部は、前記被記録物の上端に前記液体を噴射するときには前記上流側ノズル列を使用し、前記被記録物の下端に前記液体を噴射するときには前記下流側ノズル列を使用する請求項１０から１２のいずれかに記載の液体噴射装置。
【発明の詳細な説明】
【技術分野】
【０００１】
本発明は、液体噴射装置に関する。特に本発明は、液体噴射領域に搬送された被記録物に液体を噴射する液体噴射装置に関する。
【背景技術】
【０００２】
インクジェット式記録装置等の液体噴射装置は、被記録物を液体噴射領域へ搬送する搬送ローラ、及び液体噴射領域において被記録物に液体を噴射して記録を行う液体噴射ヘッドを備える。インクジェット式記録装置の搬送ローラは、搬送方向の略同じ位置に複数設けられている。そして、搬送ローラは、互いに離間しており、被記録物を斜め下向き、すなわち液体噴射領域において、液体噴射ヘッドから離れる方向に搬送する。液体噴射領域に搬送されてきた被記録物に液体噴射ヘッドから液体を噴射することにより、被記録物に記録を行う。ここで、近年、被記録物の液体噴射面の全面にわたって記録を行うこと、いわゆるふち無し記録機能を備えるインクジェット式記録装置がある（例えば、特許文献１および２を参照）。
【０００３】
【特許文献１】特開２００２−１０３５８６号公報
【特許文献２】特開２００２−２６４３１９号公報
【発明の開示】
【発明が解決しようとする課題】
【０００４】
液体噴射装置は、被記録物の位置決め誤差を有する。そのため、被記録物の上端及び下端に記録を行う場合、被記録物の液体噴射面の端部は、液体噴射ヘッドの噴射口の直下からずれて配置される場合がある。従って、被記録物に液体が付着しない部分が発生してしまう。また、液体噴射ヘッドの液体噴射精度にも誤差があるので、液体噴射ヘッドの直下に被記録物が配置されても、被記録物における液体噴射ヘッドの直下に配置された部分に液体が付着しない場合がある。これらを回避するために、インクジェット式記録装置は、被記録物近傍の被記録物が配置されない領域に対しても液体を噴射する必要がある。
【０００５】
このため、被記録物が配置されていない場所に液体が噴射され、被記録物を支持する部材等に液体が付着する可能性がある。この場合、連続記録を行うとき、２つ目以降の被記録物は、液体が付着した部材に接触することにより、汚れてしまう。また、被記録物は、離間した複数の搬送ローラによって局所的に下方に押されて液体噴射領域に搬送される。そのため、液体噴射領域に搬送された被記録物は、搬送方向において搬送ローラと同一直線上の部分が下側に撓む場合がある。この状態で被記録物に液体を噴射すると、記録されるべき画像が歪む可能性がある。
【課題を解決するための手段】
【０００６】
上記課題を解決するために、本発明の第１の形態においては、液体噴射領域に搬送された被記録物に液体を噴射して記録を行う液体噴射装置であって、被記録物の搬送方向と直交する主走査方向に沿って、略同一直線上に互いに離間して設けられ、被記録物を搬送方向に移動させるとともに、液体噴射領域において被記録物を噴射面が凹となるように撓ませる複数の第１移動ローラと、被記録物を液体噴射面とは反対側の面から支持するために液体噴射領域に設けられ、主走査方向において複数の第１移動ローラのそれぞれと略同じ場所に位置し、かつ搬送方向において第１移動ローラからの方向及び距離が略同一である複数の第１リブと、複数の第１移動ローラと複数の第１リブとの間に配置され、液体を吸収する第１液体吸収材とを備える。これにより、第１移動ローラと第１リブとの間において、被記録物の端部に液体を噴射した場合、被記録物に付着しなかった液体によって次に記録されるべき被記録物は汚れにくくなる。また、液体噴射装置は、第１移動ローラによって被記録物に発生する波状の撓みを抑え、正確に被記録物に記録することができる。
【０００７】
液体噴射装置が備える第１移動ローラは、被記録物を液体噴射領域に搬送し、複数の第１リブは、被記録物の搬送方向において第１移動ローラより下流側に設けられている。これにより、液体噴射装置は、被記録物の上端に記録することができる。
【０００８】
液体噴射装置は、被記録物の搬送方向において第１吸収材より下流側に設けられ、被記録物を液体噴射領域から液体噴射領域外へ搬送するとともに、液体噴射領域において被記録物を液体噴射面が凹となるように撓ませる、複数の第２移動ローラと、被記録物を液体噴射面とは反対側の面から支持するために液体噴射領域に設けられ、主走査方向において複数の第２移動ローラのそれぞれと略同じ場所に位置し、かつ搬送方向において第２移動ローラと第１リブとの間の略同じ場所に位置する複数の第２リブと、複数の第２移動ローラと複数の第２リブとの間に配置され、液体を吸収する第２液体吸収材とを更に備える。これにより、液体噴射装置は、被記録物の上端及び下端の両方に記録することができる。
【０００９】
液体噴射装置において、複数の第２移動ローラ及び複数の第２リブのそれぞれは、主走査方向において複数の第１移動ローラ及び複数の第１リブのそれぞれと略同じ位置に設けられている。これにより、液体噴射装置は、第１移動ローラ及び第２移動ローラによって液体噴射領域に発生した被記録物の波状の撓みを、確実に抑えることができる。
【００１０】
液体噴射装置が備える第１移動ローラは、被記録物を液体噴射領域から液体噴射領域外へ搬送し、複数の第１リブは、被記録物の搬送方向において第１移動ローラより上流側に設けられている。これにより、液体噴射装置は、被記録物の上端に記録することができる。
【００１１】
本発明の第２の形態においては、被記録物に液体を噴射して記録を行う液体噴射装置であって、被記録物の搬送方向と略直交する主走査方向に往復運動する液体噴射ヘッドと、液体噴射ヘッドの被記録物に対向する面の、搬送方向において互いに異なる位置にそれぞれ設けられ、互いに異なる主液体をそれぞれ噴射する複数の主ノズル列と、液体噴射ヘッドの被記録物に対向する面に設けられ、搬送方向において最も上流に位置する主ノズル列と、搬送方向において略同一の位置に配置されており、主液体とは異なる領域に副液体を噴射する上流側副ノズル列と、複数の主ノズル列の間と被記録物を介して対向する位置に設けられ、被記録物を支持する支持リブと、被記録物の上端に主液体及び副液体を噴射するときには上流側副ノズル列から副液体を噴射させる制御部とを備える液体噴射装置を提供する。この液体噴射装置によれば、複数の主液体と、副液体とを重ねて被記録物に噴射することができる。そして、副液体を主液体より先に被記録物に噴射する必要がある場合、副液体を主液体より先に被記録物に噴射することができる。
【００１２】
液体噴射ヘッドは、更に、搬送方向において最も下流に位置する主ノズル列と搬送方向において略同一の位置に設けられ、副液体を主液体とは異なる領域に噴射する下流側副ノズル列を有し、制御部は、主液体を噴射させずに副液体のみを被記録物に噴射するときにおいて、被記録物の上端に副液体を噴射するときには上流側副ノズル列を使用し、被記録物の下端に副液体を噴射するときには下流側副ノズル列を使用する。このため、被記録物に対する液体噴射のスループットを向上させることができる。
【００１３】
ここで、液体噴射装置は、搬送方向において上流側副ノズル列及び下流側副ノズル列の間に位置する補助副ノズル列を更に備え、制御部は、被記録物の上端及び下端以外の領域に副液体を噴射するときには、上流側副ノズル列、下流側副ノズル列、及び補助副ノズル列を使用してもよい。このようにすると、被記録物に対する副液体の噴射効率を上げることができる。
【００１４】
液体噴射装置は、例えばインクジェット式記録装置であり、液体噴射ヘッドは、複数の主ノズル列から、カラーで記録を行うための黒以外の複数色のインクをそれぞれ噴射し、かつ、副ノズル列から、黒のインクを噴射する。インクジェット式記録装置により記録が行われた被記録物において、黒のインクが滲むと、他の色のインクが滲んだ場合と比べて目立つ。本形態にかかるインクジェット式記録装置によれば、黒のインクは他の色のインクの後には噴射されないため、滲みにくくなる。このため、記録品質が向上する。
【００１５】
本発明の第３の形態においては、被記録物に液体を噴射して記録を行う液体噴射装置であって、被記録物の搬送方向と略直交する主走査方向に往復運動する液体噴射ヘッドと、液体噴射ヘッドの被記録物に対向する面に、搬送方向において互いに離間して設けられ、液体をそれぞれ噴射する複数のノズル列と、複数のノズル列の間に被記録物を介して対向する位置に設けられ、被記録物を支持する支持リブと、複数のノズル列に被記録物を介して対向する位置に主走査方向に延伸し、支持リブの周囲において支持リブよりも窪んだ複数の凹部とを備える。これにより、ノズル列から液体を噴射した場合に被記録物に付着しなかった液体は、凹部に受け入れられるので、支持リブに付着することを防ぐことができる。よって、支持リブ上を搬送される被記録物が汚れることを防ぐことができる。
【００１６】
上記液体噴射装置は、複数の凹部に配され、複数のノズル列から噴射された液体を吸収する液体吸収材を更に備えてもよい。これにより、被記録物に付着しなかった液体が液体吸収材に吸収され、被記録物が汚れることを防ぐことができる。
【００１７】
上記液体噴射装置は、主走査方向に沿って、略同一直線上に互いに離間して設けられ、被記録物を搬送方向に移動させるとともに、液体噴射ヘッドに対向する位置において、被記録物を、液体噴射面が凹となるように撓ませる複数の第１移動ローラと、搬送方向において支持リブより下流側に設けられ、被記録物を液体噴射ヘッドに対向する位置の外へ搬送するとともに、液体噴射領域において被記録物を液体噴射面が凹となるように撓ませる、複数の第２移動ローラとを更に備え、支持リブは、主走査方向において複数の第１移動ローラのそれぞれと略同じ場所に位置し、かつ搬送方向において第１移動ローラからの方向及び距離が略同一である複数の第１リブ、および、主走査方向において複数の第２移動ローラのそれぞれと略同じ場所に位置し、かつ搬送方向において第２移動ローラと第１リブとの間の略同じ場所に位置する複数の第２リブを有してもよい。これにより、液体噴射装置は、第１移動ローラ及び第２移動ローラによって液体噴射領域に発生した被記録物の波状の撓みを、確実に抑えることができる。よって、被記録物とノズル列との距離を一定に保ち、記録品質が向上する。
【００１８】
上記液体噴射装置は、複数のノズル列を制御する制御部を更に備え、複数のノズル列は、上流側ノズル列、および、上流側ノズル列よりも搬送方向について下流側に配された下流側ノズル列を有し、制御部は、被記録物の上端に液体を噴射するときには上流側ノズル列を使用し、被記録物の下端に液体を噴射するときには下流側ノズル列を使用してもよい。これにより、被記録物に対する液体噴射のスループットを向上させることができる。
【００１９】
なお、上記の発明の概要は、本発明の必要な特徴の全てを列挙したものではなく、これらの特徴群のサブコンビネーションもまた、発明となりうる。
【発明を実施するための最良の形態】
【００２０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２１】
図１は、インクジェット式記録装置１０の斜視図であり、図２は、インクジェット式記録装置１０の側面概略図である。なお、図２において、インクジェット式記録装置１０は、記録中の被記録物１１と共に図示している。
【００２２】
インクジェット式記録装置１０は、液体噴射領域にある被記録物１１に対して、記録ヘッド４４のノズル列から液体を噴射して記録を行う。特に、本実施形態のインクジェット式記録装置１０は、被記録物１１を汚すことなく被記録物１１の上端から下端まで記録を行う。この場合に、インクジェット式記録装置１０は、複数色のインクを用いるカラーモードおよび黒色のインクを用いる白黒モードの二つの記録モードを有する。インクジェット式記録装置１０は、カラーモードで被記録物１１に記録を行う場合、液体噴射領域にある被記録物１１に対して黒、シアン、マゼンダ、及び黄色のインクを、記録ヘッド４４のノズル列から噴射する。また、白黒モードで被記録物１１に記録を行う場合、記録ヘッド４４のノズル列から黒のインクのみを噴射する。ここでインクジェット式記録装置１０は、記録のスループットを向上させるために、いずれのノズルから黒のインクを噴射させるかを記録モードによって変更している。
【００２３】
インクジェット式記録装置１０は、液体噴射領域において被記録物１１を、被記録物１１の液体噴射面とは反対側の非液体噴射面側、すなわち下方から支持する支持部材１００を有する。支持部材１００の形状は、記録ヘッド４４に設けられたノズル列の構成に合わせて、被記録物１１の上端及び下端の双方に記録を行えるように設計されている。また、液体噴射領域において、被記録物１１に波状の撓みが生じにくいように設計されている。
【００２４】
インクジェット式記録装置１０は、記録ヘッド４４及び支持部材１００の他に、複数の被記録物１１を保持するトレイ１２、被記録物１１をトレイ１２から押し出すホッパ１２４、トレイ１２から押し出された被記録物１１を給送する給送部２０、給送部２０が給送した被記録物１１を液体噴射領域に搬送する搬送部３０、液体噴射領域において被記録物１１に記録を行う記録部４０、被記録物１１を液体噴射領域から液体噴射領域外へ排出する排出部５０、ステップモータ６０、及び記録ヘッド４４を制御する制御部８０を備える。
【００２５】
給送部２０は、給送ローラ２２、及び給送ローラ２２に連れ回るリターダローラ２４を有する。給送ローラ２２及びリターダローラ２４は、ホッパ１２４によってトレイ１２から押し出された被記録物１１の束のうち、最上位に位置する被記録物１１を互いの間に挟み、被記録物１１を一つずつ搬送部３０へ給送する。
【００２６】
搬送部３０は、搬送ローラ３２、この搬送ローラ３２に連れ回る搬送従動ローラ３４を有する。搬送ローラ３２は、給送部２０が給送した被記録物１１を搬送従動ローラ３４との間に挟んで回転し、液体噴射領域へ搬送する。一方、搬送従動ローラ３４は、搬送ローラ３２の上方に配置されている。搬送従動ローラ３４の回転軸は、搬送ローラ３２の回転軸と略平行であり、搬送ローラ３２の回転軸よりも搬送方向における下流側に配置される。これにより、被記録物１１は、搬送ローラ３２及び搬送従動ローラ３４によって支持部材１００側に向けて斜め下方向へ搬送される。また、支持部材１００は、被記録物１１の非液体噴射面を支持する。この結果、被記録物１１は、液体を噴射される面を凹として撓むことになる。なお、搬送ローラ３２及び搬送従動ローラ３４は、第１移動ローラの一例である。
【００２７】
記録部４０は、キャリッジ４２、キャリッジ４２に搭載された記録ヘッド４４、及びキャリッジ４２を移動させるモータ４８を有する。記録ヘッド４４は液体噴射領域にある被記録物１１に対して液体を噴射するノズルを複数有する。さらに、キャリッジ４２を被記録物１１の搬送方向に対して直交する主走査方向にスライド可能に支持するガイド板４６を有する。搬送方向において、記録ヘッド４４の下方には、支持部材１００が配置される。
【００２８】
排出部５０は、排出ローラ５２、及び排出ローラ５２に連れ回る排出従動ローラ５４を有する。排出ローラ５２及び排出従動ローラ５４は、記録後の被記録物１１を互いの間に挟んで回転し、液体噴射領域から液体噴射領域外へ排出する。
【００２９】
排出従動ローラ５４は、排出ローラ５２の上方に配置されている。排出従動ローラ５４の回転軸は、排出ローラ５２の回転軸と略平行であり、排出ローラ５２の回転軸よりも搬送方向における上流側に配置される。これにより、被記録物１１は、排出ローラ５２及び排出従動ローラ５４によって、斜め上方向へ排出される。さらに、液体噴射領域内の被記録物１１は、排出ローラ５２及び排出従動ローラ５４の搬送方向上流側にあるので、排出ローラ５２及び排出従動ローラ５４によって、支持部材１００側に押される。この結果、被記録物１１は、液体を噴射される面を凹として撓むことになる。なお、排出ローラ５２及び排出従動ローラ５４は、第１移動ローラ又は第２移動ローラの一例である。
【００３０】
なお、搬送部３０及び排出部５０には、ステップモータ６０から一本のベルト６２を介して動力が伝達される。ベルト６２には、テンショナー６４により張力が与えられている。ステップモータ６０、テンショナー６４、搬送部３０、及び排出部５０は、ベルト６２の流れ方向においてこの順に配列される。
【００３１】
上記構成のインクジェット式記録装置１０における制御部８０は、キャリッジ４２をガイド板４６に沿って往復させつつ記録ヘッド４４のノズルから液体を噴射させる。制御部８０は、キャリッジ４２が一走査する毎に被記録物１１を搬送することで、インクジェット式記録装置１０に、被記録物１１の全体にカラーモード又は白黒モードで記録を行わせる。なお、インクジェット式記録装置１０は、記録ヘッド４４の往路及び復路の双方で記録を行う場合もあるし、一方のみで記録を行う場合もある。なお、本実施形態における液体噴射領域は、搬送ローラ３２及び搬送従動ローラ３４、並びに排出ローラ５２及び排出従動ローラ５４の間であり、かつ支持部材１００上の領域である。
【００３２】
ここで、インクジェット式記録装置１０は、被記録物に対して液体を噴射することで記録を行う液体噴射装置の一例である。また、インクジェット式記録装置１０の記録ヘッド４４は、液体噴射装置の液体噴射ヘッドの一例である。記録ヘッド４４に設けられる吐出口は、液体噴射ヘッドの噴射口の一例である。
【００３３】
しかしながら、本発明はこれらに限られない。液体噴射装置の他の例は、液晶ディスプレイのカラーフィルタを製造するカラーフィルタ製造装置である。この場合、カラーフィルタ製造装置の色材噴射ヘッドが液体噴射ヘッドの一例である。液体噴射装置のさらに他の例は、有機ＥＬディスプレイ、ＦＥＤ（面発光ディスプレイ）等の電極を形成する電極形成装置である。この場合、電極形成装置の電極材（電導ペースト）噴射ヘッドが液体噴射ヘッドの一例である。液体噴射装置のさらに他の例は、バイオチップを製造するバイオチップ製造装置である。この場合、バイオチップ製造装置の生体有機物噴射ヘッドおよび精密ピペットとしての試料噴射ヘッドが液体噴射ヘッドの一例である。本発明の液体噴射装置は、産業用途を有するその他の液体噴射装置も含む。また被記録物とは、液体が噴射されることにより記録が行われる物であり、例えば記録用紙、ディスプレイの電極等の回路パターンが形成される回路基板、ラベルが記録されるＣＤ−ＲＯＭ、ＤＮＡ回路が記録されるプレパラートが含まれる。
【００３４】
図３は、支持部材１００の断面形状を、記録ヘッド４４とともに示す図である。支持部材１００は、液体噴射領域において、記録ヘッド４４と被記録物１１を挟んで対向するように配置されている。支持部材１００は、表面に設けられた凹部１０２、並びに凹部１０２に配置された上流側支持リブ１１０、下流側支持リブ１２０、第１液体吸収材１３０、第３液体吸収材１４０、第２液体吸収材１５０、上流側側面１０３、及び下流側側面１０４を有する。
【００３５】
上流側支持リブ１１０及び下流側支持リブ１２０は、凹部１０２の底面から、被記録物１１の搬送方向Ａに沿ってこの順に立設されており、被記録物１１を非液体噴射面側から支持する。上流側支持リブ１１０及び下流側支持リブ１２０は、搬送方向Ａにおける上流側の側面上端に、上に向いた斜面を有する。そのため、被記録物１１は、搬送方向Ａへ上流側支持リブ１１０及び下流側支持リブ１２０上を滑らかに搬送される。
【００３６】
凹部１０２は、上流側側面１０３、上流側支持リブ１１０、下流側支持リブ１２０および下流側側面１０４のそれぞれの間において、これらのリブよりも窪んでおり、主走査方向に延伸する第１溝部１３２、第３溝部１４２および第２溝部１５２を有する。
【００３７】
第１液体吸収材１３０は、凹部１０２の上流側側面１０３と上流側支持リブ１１０との間、すなわち第１溝部１３２を埋めるように配置されている。第３液体吸収材１４０は、被記録物１１の搬送方向Ａにおいて、上流側支持リブ１１０と下流側支持リブ１２０との隙間、すなわち第３溝部１４２を埋めるように配置されている。第２液体吸収材１５０は、凹部１０２の下流側側面１０４と下流側支持リブ１２０との隙間、すなわち第２溝部１５２を埋めるように配置されている。支持部材１００は、記録ヘッド４４から噴射された液体が上流側支持リブ１１０及び下流側支持リブ１２０に付着しないように設計されている。なお、上流側支持リブ１１０は、第１リブの一例であり、下流側支持リブ１２０は、第２リブの一例である。
【００３８】
図４は、記録ヘッド４４のノズル列の構成を、支持部材１００の平面構成とともに示している。記録ヘッド４４は、主ノズル列４１２、４１４、及び４１６を有する。主ノズル列４１２はシアン色の液体を噴射する。主ノズル列４１４はマゼンダ色の液体を噴射する。主ノズル列４１６は黄色の液体を噴射する。主ノズル列４１２、４１４及び４１６は、被記録物１１の搬送方向Ａにおいて略同一直線上、かつ互いに異なる位置に離間して配置されている。よって、記録ヘッド４４が主走査方向に往復移動しつつ主ノズル列４１２、４１４、及び４１６からインクを吐出した場合に、被記録物１１上の異なる位置にインクが記録される。主ノズル列４１２は、３つの主ノズル列のうち、搬送方向Ａにおいて最も上流側に位置している。主ノズル列４１６は、３つの主ノズル列のうち、搬送方向Ａにおいて最も下流側に位置している。なお、各主ノズル列は、それぞれ複数並列に設けられている。
【００３９】
また、記録ヘッド４４は、黒色の液体を噴射するために、上流側副ノズル列４２２、補助副ノズル列４２４、及び下流側副ノズル列４２６を有する。上流側副ノズル列４２２、補助副ノズル列４２４、及び下流側副ノズル列４２６は、搬送方向Ａに沿って略同一直線上、かつ互いに異なる位置に離間して配置されている。よって、記録ヘッド４４が主走査方向に往復移動しつつ上流側副ノズル列４２２、補助副ノズル列４２４、及び下流側副ノズル列４２６からインクを吐出した場合に、被記録物１１上の異なる位置にインクが記録される。上流側副ノズル列４２２は、搬送方向Ａにおいて、主ノズル列４１２と略同一の位置に配置されている。よって、記録ヘッド４４が主走査方向に往復移動しつつ上流側副ノズル列４２２及び主ノズル列４１２からインクを吐出した場合に、被記録物１１上のほぼ同じ位置にインクが記録される。下流側副ノズル列４２６は、搬送方向Ａにおいて主ノズル列４１６と略同一の位置に配置されている。よって、記録ヘッド４４が主走査方向に往復移動しつつ下流側副ノズル列４２６及び主ノズル列４１６からインクを吐出した場合に、被記録物１１上のほぼ同じ位置にインクが記録される。補助副ノズル列４２４は、搬送方向Ａにおいて主ノズル列４１４と略同一の位置に配置されている。よって、記録ヘッド４４が主走査方向に往復移動しつつ補助副ノズル列４２４及び主ノズル列４１４からインクを吐出した場合に、被記録物１１上のほぼ同じ位置にインクが記録される。なお、各副ノズル列は、それぞれ複数列並列に設けられている。
【００４０】
また、支持部材１００の上流側支持リブ１１０は、主ノズル列４１２と主ノズル列４１４との間、例えば搬送方向Ａにおける主ノズル列４１２の下流側近傍に配置されており、第１液体吸収材１３０は、搬送方向Ａにおいて上流側副ノズル列４２２の配置位置を含むように配置されている。下流側支持リブ１２０は、主ノズル列４１４と主ノズル列４１６との間、例えば搬送方向Ａにおける主ノズル列４１６の上流側近傍に配置されており、第２液体吸収材１５０は、搬送方向Ａにおいて主ノズル列４１６の配置位置を含むように配置されている。このようにすると、後述するように、被記録物１１の上端及び下端にシアン、マゼンダ、黄色、及び黒色の液体を同時に用いて記録を行っても、上流側支持リブ１１０及び下流側支持リブ１２０に液体が付着することはない。
【００４１】
また、搬送従動ローラ３４は、搬送方向Ａにおいて略同じ位置に複数設けられている。すなわち、搬送従動ローラ３４は、主走査方向Ｂに沿って一直線上に並んでいる。そして、複数の搬送従動ローラ３４は、互いに離間している。
【００４２】
上流側支持リブ１１０は、搬送方向Ａにおける略同じ位置に複数設けられている。すなわち、上流側リブ１１０は、主走査方向Ｂに沿って一直線上に並んでいる。そして、それぞれの上流側支持リブ１１０は、互いに離間しており、図４に示す主走査方向Ｂにおいて、それぞれの搬送従動ローラ３４と略同じ位置に配置されている。そのため、複数の搬送従動ローラ３４のそれぞれと、各搬送従動ローラ３４と主走査方向Ｂにおける略同一に位置にある上流側支持リブ１１０との間の距離は、搬送方向Ａにおいて略同一となる。
【００４３】
また、下流側支持リブ１２０は、搬送方向Ａにおける略同じ位置に複数設けられている。すなわち、下流側リブ１２０は、主走査方向Ｂに沿って一直線上に並んでいる。そして、それぞれの下流側支持リブ１２０は、互いに離間しており、主走査方向Ｂにおいてそれぞれの搬送従動ローラ３４と略同じ位置に配置されている。
【００４４】
さらに、排出従動ローラ５４は、搬送方向Ａにおける略同じ位置に複数設けられている。すなわち、排出従動ローラ５４は、主走査方向Ｂに沿って一直線上に並んでいる。そして、それぞれの排出従動ローラ５４は、互いに離間しており、主走査方向Ｂにおいてそれぞれの搬送従動ローラ３４と略同じ位置に配置されている。
【００４５】
図５から図１０は、被記録物１１の上端１１ａにカラーモードで記録を行う場合の記録手順を模式的に示す図である。制御部８０は、搬送ローラ３２及び搬送従動ローラ３４を用いて、被記録物１１を搬送方向へ進むにつれ記録ヘッド４４と離れる方向へ搬送する。そして、制御部８０は、図５に示すように、被記録物１１の上端１１ａを上流側副ノズル列４２２及び主ノズル列４１２に対向する位置へ搬送する。その後、制御部８０は、被記録物１１の上端１１ａが上流側副ノズル列４２２及び主ノズル列４１２の下にある場合に、記録ヘッド４４を主走査方向に移動させつつ、上流側副ノズル列４２２から黒色の液体（Ｋ）を上端１１ａに向けて噴射した後、又は同時に主ノズル列４１２からはシアン色の液体（Ｃ）を上端１１ａに向けて噴射させる。このとき、他のノズル列からは液体を噴射させない。
【００４６】
ここで、上端１１ａに付着しなかった黒色の液体（Ｋ）及びシアン色の液体（Ｃ）は、上流側支持リブ１１０の表面に付着することなく、第１液体吸収材１３０に吸収される。従って、被記録物１１の非液体噴射面は、上流側支持リブ１１０上を搬送されるときに、液体によって汚れにくくなる。
【００４７】
図６は、図５のＣ−Ｃ断面を示す図である。図６では、説明のために被記録物１１の上端断面１１ｃ及び搬送従動ローラ３４をともに示している。被記録物１１は、搬送ローラ３２及び搬送従動ローラ３４によって、斜め下方向への力を受ける。搬送従動ローラ３４は互いに離間して複数設けられているので、被記録物１１の搬送方向において、搬送従動ローラ３４と略同一の位置にある部分は、斜め下方向への力を受けるが、搬送従動ローラ３４と略同一の位置に無い部分は、斜め下方向の力を受けない。この結果、図６に示すように、搬送従動ローラ３４を通過した被記録物１１の上端断面１１ｃは、主走査方向Ｂにおいて搬送従動ローラ３４及び上流側支持リブ１１０と略同一の位置を谷として波状に撓む。
【００４８】
次に、図７に示すように、制御部８０は、被記録物１１の上端１１ａを補助副ノズル列４２４及び主ノズル列４１４に対向する位置に搬送する。そして、制御部８０は、記録ヘッド４４を主走査方向に移動させつつ、主ノズル列４１４からマゼンダ色の液体（Ｍ）を上端１１ａに向けて噴射させる。このとき、制御部８０は、上流側副ノズル列４２２から黒色の液体（Ｋ）を、主ノズル列４１２からはシアン色の液体（Ｃ）を、それぞれ被記録物１１の上端１１ａ以外の領域に向けて噴射させるが、補助副ノズル列４２４、下流側副ノズル列４２６、及び主ノズル列４１６からは液体を噴射させない。
【００４９】
ここで、上端１１ａに付着しなかったマゼンダ色の液体（Ｍ）は、下流側支持リブ１２０の表面に付着することなく、第３液体吸収材１４０に吸収される。従って、被記録物１１の非液体噴射面は、上流側支持リブ１１０及び下流側支持リブ１２０上を搬送されるときに、液体によって汚れにくくなる。
【００５０】
また、上端１１ａは、搬送ローラ３２及び搬送従動ローラ３４によって、記録ヘッド４４から離れる方向へ力を受けているので、搬送ローラ３２及び搬送従動ローラ３４、並びに上流側支持リブ１１０の間の被記録物１１は、搬送方向Ａにおいて、被記録物１１の液体噴射面側を凹として撓む。なお、上端１１ａは、上流側支持リブ１１０によって非液体噴射面側から記録ヘッド４４へ向かって支持されている。
【００５１】
図８は、図７のＣ−Ｃ断面を示す図である。図８では、説明のために被記録物１１の上端断面１１ｃ及び搬送従動ローラ３４をともに示している。被記録物１１の上端断面１１ｃは、搬送ローラ３２及び搬送従動ローラ３４によって主走査方向Ｂに波状の撓みを生じている。上流側支持リブ１１０は、搬送方向Ｂにおいて搬送従動ローラ３４と略同じ位置に配置されているので、被記録物１１の波状の撓みの谷の部分を支持することになる。さらに、被記録物１１は、搬送ローラ３２及び搬送従動ローラ３４によって記録ヘッド４４から離れる方向へ力を受けているので、波状に撓んだ被記録物１１の谷の部分は、上流側支持リブ１１０に押圧される。従って、搬送ローラ３２及び搬送従動ローラ３４により被記録物１１に発生した波状の撓みは、上流側支持リブ１１０によって小さくなる。
【００５２】
そして、図９に示すように、制御部８０は、被記録物１１の上端１１ａを下流側副ノズル列４２６及び主ノズル列４１６に対向する位置に搬送する。そして、制御部８０は、記録ヘッド４４を主走査方向に移動させつつ、主ノズル列４１６から黄色の液体（Ｙ）を上端１１ａに向けて噴射させる。このとき、上流側副ノズル列４２２から黒色の液体（Ｋ）を、主ノズル列４１２からはシアン色の液体（Ｃ）を、主ノズル列４１４からマゼンダ色の液体（Ｍ）を、それぞれ被記録物１１の上端１１ａ以外の領域に向けて噴射させるが、補助副ノズル列４２４及び下流側副ノズル列４２６からは液体を噴射させない。
【００５３】
ここで、上端１１ａに付着しなかった黄色の液体（Ｙ）は、下流側支持リブ１２０の表面に付着することなく、第２液体吸収材１５０に吸収される。従って、被記録物１１の非液体噴射面は、下流側支持リブ１２０上を搬送されるときに、液体によって汚れにくくなる。
【００５４】
図１０は、図９のＤ−Ｄ断面を示す図である。図１０では、説明のために被記録物１１の上端断面１１ｃ及び搬送従動ローラ３４をともに示している。上端１１ａが下流側副ノズル列４２６及び主ノズル列４１６に対向する位置にあるとき、上端１１ａは、下流側支持リブ１２０によって非液体噴射面側から記録ヘッド４４へ向って支持されている。
【００５５】
下流側支持リブ１２０は、搬送方向Ｂにおいて搬送従動ローラ３４及び上流側支持リブ１１０と略同じ位置に配置されているので、搬送ローラ３２及び搬送従動ローラ３４によって被記録物１１に生じた波状の撓みのうち、谷の部分を支持することになる。さらに、被記録物１１は、搬送ローラ３２及び搬送従動ローラ３４によって記録ヘッド４４から離れる方向へ力を受けているので、被記録物１１に生じた波状の撓みのうち、谷の部分が下流側支持リブ１２０に押圧される。従って、搬送ローラ３２及び搬送従動ローラ３４により発生した被記録物１１の波状の撓みは、下流側支持リブ１２０によってさらに抑えられる。このように、液体噴射領域内において被記録物１１の波状の撓みが抑えられるので、インクジェット式記録装置１０は、被記録物１１に正確に画像を記録することができる。
【００５６】
以上のように、被記録物１１の上端１１ａには、黒色、シアン色、マゼンダ色、及び黄色の液体がそれぞれ噴射される。このため、上端１１ａは複数色で記録される。従って、上端１１ａの液体噴射面側には、液体が付着していない部分が残らず、インクジェット式記録装置１０は、被記録物１１にふち無し記録を行うことができる。また、最も上流側の副ノズル列である上流側副ノズル列４２２から黒色のインクを噴射させているため、黒色のインクは最初に被記録物１１の上端１１ａに付着する。このため、黒色は滲みにくくなる。従って、記録品質は向上する。
【００５７】
図１１から図１６は、被記録物１１の下端１１ｂにカラーモードで記録を行う場合の記録手順を模式的に示す図である。制御部８０は、図１１に示すように、被記録物１１の下端１１ｂを上流側副ノズル列４２２及び主ノズル列４１２に対向する位置に搬送する。そして制御部８０は、被記録物１１の下端１１ｂが上流側副ノズル列４２２及び主ノズル列４１２の下にある場合に、記録ヘッド４４を主走査方向に移動させつつ、上流側副ノズル列４２２から黒色の液体（Ｋ）を噴射した後、又は同時に主ノズル列４１２からはシアン色の液体（Ｃ）を下端１１ｂに向けて噴射させる。このとき、制御部８０は、主ノズル列４１４及び４１６からは液体を噴射させるが、補助副ノズル列４２４及び下流側副ノズル列４２６からは被記録物１１に向けて液体を噴射させない。
【００５８】
ここで、被記録物１１に付着しなかった黒色の液体（Ｋ）及びシアン色の液体（Ｃ）は、上流側支持リブ１１０の表面に付着することなく、第１液体吸収材１３０に吸収される。従って、次に搬送されてくる被記録物１１の非液体噴射面は、上流側支持リブ１１０上を搬送されるときに汚れにくくなる。
【００５９】
図１２は、図１１のＥ−Ｅ断面を示す図である。図１２では、説明のために被記録物１１の下端断面１１ｄ及び排出従動ローラ５４をともに示している。下端１１ｂが主ノズル列４１２及び上流側副ノズル列４２２に対向する位置にあるとき、下端１１ｂは、上流側支持リブ１１０によって非液体噴射面側から記録ヘッド４４へ向って支持されている。
【００６０】
また、排出従動ローラ５４の回転軸は、排出ローラ５２の回転軸よりも液体噴射領域側に配置されるので、被記録物１１の排出ローラ５２及び排出従動ローラ５４に挟まれた部分は下方向に力を受ける。排出従動ローラ５４は互いに離間して複数設けられているので、主走査方向において、排出従動ローラ５４と略同じ位置にない被記録物１１の部分は、下方向への力を受けない。この結果、被記録物１１の下端断面１１ｄは、主走査方向Ｂにおいて排出従動ローラ５４と略同じ位置を谷とする波状に撓む。
【００６１】
排出従動ローラ５４の回転軸は、排出ローラ５２の回転軸よりも液体噴射領域側にあるので、液体噴射領域内の被記録物１１は、上流側支持リブ１１０及び下流側支持リブ１２０へ押圧されている。また、上流側支持リブ１１０及び下流側支持リブ１２０は、主走査方向Ｂにおいて排出従動ローラ５４と略同一の位置にあるので、被記録物１１に生じた波状の撓みのうち、谷の部分は、上流側支持リブ１１０及び下流側支持リブ１２０により下から支持される。そのため、被記録物１１に生じた波状の撓みは、上流側支持リブ１２０上で小さくなる。そして、上流側支持リブ１１０及び下流側支持リブ１２０は搬送方向Ｂにおいて略同じ位置にあるので、上流側支持リブ１２０によって小さくなった被記録物１１の波状の撓みは、上流側支持リブ１１０上でさらに小さくなる。
【００６２】
次に、図１３に示すように、制御部８０は、被記録物１１の下端１１ｂを補助副ノズル列４２４及び主ノズル列４１４に対向する位置に搬送する。そして、制御部８０は、記録ヘッド４４を主走査方向に移動させつつ、主ノズル列４１４からマゼンダ色の液体（Ｍ）を下端１１ｂに向けて噴射させる。このとき、インクジェット式記録装置１０は、主ノズル列４１６からは黄色の液体（Ｙ）を噴射させ続けるが、主ノズル列４１２、上流側副ノズル列４２２、補助副ノズル列４２４、及び下流側副ノズル列４２６からは、被記録物１１に向けて液体を噴射させない。
【００６３】
ここで、被記録物１１に付着しなかったマゼンダ色の液体（Ｍ）は、上流側支持リブ１１０の表面に付着することなく、第３液体吸収材１４０に吸収される。従って、次に搬送されてくる被記録物１１の非液体噴射面は、上流側支持リブ１１０上を搬送されるときに汚れにくくなる。
【００６４】
また、下端１１ｂが補助副ノズル列４２４及び主ノズル列４１４に対向する位置にあるとき、下端１１ｂは、下流側支持リブ１２０によって非液体噴射面側から記録ヘッド４４へ向って支持されている。下端１１ｂは、排出ローラ５２及び排出従動ローラ５４によって、記録ヘッド４４から離れる方向へ力を受けているので、排出ローラ５２及び排出従動ローラ５４、並びに下流側支持リブ１２０との間の被記録物１１は、搬送方向Ａにおいて、被記録物１１の液体噴射面側を凹として撓む。
【００６５】
図１４は、図１３のＦ−Ｆ断面を示す図である。図１４では、説明のために被記録物１１の下端断面１１ｄ及び排出従動ローラ５４をともに示している。排出従動ローラ５４及び排出ローラ５２により、被記録物１１は下流側支持リブ１２０に押圧されている。さらに、下端１１ｂが主ノズル列４１４及び補助副ノズル列４２４に対向する位置にあるとき、下端１１ｂは、下流側支持リブ１２０によって非液体噴射面側から記録ヘッド４４へ向って支持されている。特に、排出ローラ５２及び排出従動ローラ５４で発生した波状の撓みのうち、谷の部分は、下流側支持リブ１２０によって下から支持される。そのため、排出ローラ５２及び排出従動ローラ５４で発生した波状の撓みは、下流側支持リブ１２０上において小さくなる。
【００６６】
次に、図１５に示すように、制御部８０は、被記録物１１の下端１１ｂを主ノズル列４１６及び下流側副ノズル列４２６に対向する位置に搬送する。そして、制御部８０は、記録ヘッド４４を主走査方向に移動させつつ、主ノズル列４１６から黄色の液体（Ｙ）を下端１１ｂへ向けて噴射させる。このとき、他のノズル列からは液体を噴射させない。
【００６７】
ここで、被記録物１１に付着しなかった黄色の液体（Ｙ）は、下流側支持リブ１２０の表面に付着することなく、第２液体吸収材１５０に吸収される。従って、次に搬送されてくる被記録物１１の非液体噴射面は、下流側支持リブ１２０上を搬送されるときに汚れにくくなる。
【００６８】
図１６は、図１５のＦ−Ｆ断面を示す図である。図１６では、説明のために被記録物１１の下端断面１１ｄ及び排出従動ローラ５４をともに示している。下端１１ｂが主ノズル列４１６及び下流側副ノズル列４２６に対向する位置にあるとき、下流側支持リブ１２０上を通過した下端１１ｂは、排出ローラ５２及び排出従動ローラ５４によって、斜め下方向への力を受けている。そのため、下端断面１１ｄは、図１６に示すように、主走査方向Ｂにおいて排出従動ローラ５４と略同一の位置を谷とする波状に撓む。
【００６９】
以上のように、被記録物１１の下端１１ｂには、黒色、シアン色、マゼンダ色、及び黄色の液体がそれぞれ噴射される。このため、下端１１ｂは複数色で記録される。従って、下端１１ｂの液体噴射面側には、液体が付着していない部分が残らず、インクジェット式記録装置１０は、被記録物１１にふち無し記録を行うことができる。また、最も上流側の副ノズル列である上流側副ノズル列４２２から黒色のインクを噴射させているため、黒色のインクは最初に被記録物１１の下端１１ｂに付着する。このため、黒色は滲みにくくなる。従って、記録品質は向上する。
【００７０】
なお、被記録物１１の上端及び下端以外の領域にインクを噴射させるときも、上端及び下端にインクを噴射するときと同様の手順で行われる。黒色のインク（Ｋ）は上流側副ノズル列４２２から噴射されるため、最初に被記録物１１上に付着する。このため、黒色は滲みにくくなる。従って、記録品質は向上する。
【００７１】
図１７（Ａ）および図１７（Ｂ）は、インクジェット式記録装置１０が被記録物１１の上端１１ａに白黒モードで記録を行う場合の記録手順を模式的に示す図である。図１７（Ａ）および図１７（Ｂ）において、主ノズル列４１２、４１４及び４１６は使用されないため、図示を省略している。
【００７２】
制御部８０は、図１７（Ａ）に示すように、被記録物１１の上端１１ａが上流側副ノズル列４２２の下にある場合、上流側副ノズル列４２２から黒色のインク（Ｋ）を噴射させる。ここで、被記録物１１に付着しなかったインクは、上流側支持リブ１１０の表面に付着することなく、第１吸収材１３０に吸収される。従って、被記録物１１の非記録面は、上流側支持リブ１１０上を搬送されるときに、インクによって汚れにくくなる。
【００７３】
そして、図１７（Ｂ）に示すように、制御部８０は、被記録物１１を、上端１１ａが下流側副ノズル列４２６を越える位置まで搬送した後、上流側副ノズル列４２２、補助副ノズル列４２４、及び下流側副ノズル列４２６のすべてを用いて記録を実行する。このため、被記録物１１に対する記録のスループットは向上する。
【００７４】
図１８（Ａ）および図１８（Ｂ）は、インクジェット式記録装置１０が被記録物１１の下端に白黒モードで記録を行う場合の記録手順を模式的に示す図である。図８（Ａ）および図８（Ｂ）において、主ノズル列４１２、４１４及び４１６は使用されないため、図示を省略している。
【００７５】
図１８（Ａ）に示すように制御部８０は、被記録物１１の下端１１ｂが上流側副ノズル列４２２の下に来るまでは、被記録物１１に対する記録のスループットを向上させるために、上流側副ノズル列４２２、補助副ノズル列４２４、及び下流側副ノズル列４２６のすべてを用いる。
【００７６】
そして、下端１１ｂに記録を実行するときになると、図８１（Ｂ）に示すように、制御部８０は、被記録物１１の下端１１ｂを下流側副ノズル列４２６の下に搬送する。そして、下流側副ノズル列４２６から下端１１ｂに向けて黒色のインク（Ｋ）を噴射させる。これにより、下端１１ｂに記録が行われる。
【００７７】
図１９は、支持部材１００の平面構成の変形例を示す。図１９に示す支持部材１００において、図４の支持部材１００と同じ構成には、図４と同じ参照番号を付し、説明を省略する。
【００７８】
図１９に示す支持部材１００の上流側支持リブ１１０は、主走査方向Ｂにおいて、それぞれの搬送従動ローラ３４と略同じ位置に配置されている。下流側支持リブ１２０は、主走査方向Ｂにおけるそれぞれの排出従動ローラ５４と略同じ位置に配置されている。ただし、本変形例において、上流側支持リブ１１０及び下流側支持リブ１２０は、主走査方向Ｂにおいて略同一直線上にない。
【００７９】
このような構成であっても、搬送ローラ３２及び搬送従動ローラ３４が発生させた被記録物１１の撓みを上流側支持リブ１１０が抑え、排出ローラ５２及び排出従動ローラ５４が発生させた被記録物１１の撓みを下流側支持リブ１２０が抑える。従って、インクジェット式記録装置１０は、被記録物１１が液体噴射領域内での被記録物１１の波状の撓みを防止して、被記録物１１に正確に記録することができる。
【００８０】
上記説明から明らかなように、本実施形態のインクジェット式記録装置１０は、ノズル列に対向する位置に凹部１０２を有するので、被記録物１１の非液体噴射面を汚すことなく、搬送方向における被記録物１１の上端１１ａ及び下端１１ｂまで確実に記録することができる。また、インクジェット式記録装置１０は、上流側支持リブ１１０および下流側支持リブ１２０が下方から被記録物１１を支持するので、搬送ローラ３２及び搬送従動ローラ３４、並びに排出ローラ５２及び排出従動ローラ５４が発生させた被記録物１１の波状の撓みを抑え、正確に被記録物１１に記録することができる。
【００８１】
さらに、本実施形態のインクジェット式記録装置１０における記録ヘッド４４は、複数色の液体を噴射する複数の主ノズル列を被記録物１１の搬送方向に直列に有し、かつ黒色の液体を噴射する複数の副ノズル列を、主ノズル列に対して被記録物１１の搬送方向に並列に並べた記録ヘッドを有する。そして、上端を印刷するときには、最も上流側に位置する副ノズル列から、黒色の液体を噴射させる。このため、黒色は滲みにくくなる。また、白黒モードにおける記録のスループットは向上する。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００８３】
【図１】インクジェット式記録装置１０の斜視図である。
【図２】インクジェット式記録装置１０の側面概略図である。
【図３】支持部材１００の断面形状を示す断面図である。
【図４】ノズル列と支持部材１００との位置関係を示す模式図である。
【図５】カラーモードにおいて上端１１ａが第１液体吸収材１３０を通過するときの模式図である。
【図６】図５のＣ−Ｃ断面を示す断面図である。
【図７】カラーモードにおいて上端１１ａが第３液体吸収材１４０を通過するときの模式図である。
【図８】図７のＣ−Ｃ断面を示す断面図である。
【図９】カラーモードにおいて上端１１ａが第２液体吸収材１５０を通過するときの模式図である。
【図１０】図９のＤ−Ｄ断面を示す断面図である。
【図１１】カラーモードにおいて下端１１ｂが第１液体吸収材１３０を通過するときの模式図である。
【図１２】図１１のＥ−Ｅ断面を示す断面図である。
【図１３】カラーモードにおいて下端１１ｂが第３液体吸収材１４０を通過するときの模式図である。
【図１４】図１３のＦ−Ｆ断面を示す断面図である。
【図１５】カラーモードにおいて下端１１ｂが第２液体吸収材１５０を通過するときの模式図である。
【図１６】図１５のＦ−Ｆ断面を示す断面図である。
【図１７】白黒モードで上端に記録を行う場合の記録手順を示す模式図である。
【図１８】白黒モードで下端に記録を行う場合の記録手順を示す模式図である。
【図１９】支持部材１００の平面構成の変形例を示す平面図である。
【符号の説明】
【００８４】
１０・・・インクジェット式記録装置、１１・・・被記録物、１１ａ・・・上端、１１ｂ・・・下端、１１ｃ・・・上端断面、１１ｄ・・・下端断面、１２・・・トレイ、１２４・・・ホッパ、２０・・・給送部、２２・・・給送ローラ、２４・・・リターダローラ、３０・・・搬送部、３２・・・搬送ローラ、３４・・・搬送従動ローラ、４０・・・記録部、４２・・・キャリッジ、４４・・・記録ヘッド、４６・・・ガイド板、４８・・・モータ、４１２、４１４、４１６・・・主ノズル列、４２２・・・上流側副ノズル列、４２４・・・補助副ノズル列、４２６・・・下流側副ノズル列、５０・・・排出部、５２・・・排出ローラ、５４・・・排出従動ローラ、６０・・・ステップモータ、６２・・・ベルト、６４・・・テンショナー、１００・・・支持部材、１０２・・・凹部、１０３・・・上流側側面、１０４・・・下流側側面、１１０・・・上流側支持リブ、１２０・・・下流側支持リブ、１３０・・・第１液体吸収材、１４０・・・第３液体吸収材、１５０・・・第２液体吸収材
【図１】
2004322635.tif 000003
【図２】
2004322635.tif 000004
【図３】
2004322635.tif 000005
【図４】
2004322635.tif 000006
【図５】
2004322635.tif 000007
【図６】
2004322635.tif 000008
【図７】
2004322635.tif 000009
【図８】
2004322635.tif 000010
【図９】
2004322635.tif 000011
【図１０】
2004322635.tif 000012
【図１１】
2004322635.tif 000013
【図１２】
2004322635.tif 000014
【図１３】
2004322635.tif 000015
【図１４】
2004322635.tif 000016
【図１５】
2004322635.tif 000017
【図１６】
2004322635.tif 000018
【図１７】
2004322635.tif 000019
【図１８】
2004322635.tif 000020
【図１９】
2004322635.tif 000021